(57)【特許請求の範囲】
【請求項１】
平面視Ｌ字状又は平面視矩形状の机天板を複数の脚体にて支持し、前記机天板の奥側で隣り合う両脚体間に幕板を架設してなる机であって、
前記机天板における奥側の各コーナ部は、第１ブロック体を介して脚体に着脱可能に連結されており、前記机天板における手前側の各コーナ部は、第２ブロック体を介して脚体に着脱可能に連結されており、
前記各第１ブロック体は、３つのアーム部を有し且つ平面視で真中のアーム部を挟んで対称な矢印形状に形成されており、
前記各第１ブロック体における真中のアーム部を挟んで両側のアーム部のうち少なくとも一方は、平面視で前記机天板の後側縁と前記幕板との間に位置するように、前記机天板の後側縁の外側にはみ出していることを特徴とする机。
【請求項２】
前記各第１ブロック体における真中のアーム部には、隣り合う第１ブロック体同士を繋ぐビーム部材を取り付けるための取付け部が、平面視で前記真中のアーム部を挟んで対称状に設けられていることを特徴とする請求項１に記載した机。
【請求項３】
前記机天板の各コーナ部に、表裏面側では大径で厚さ方向中途部では小径の表裏段付き穴が厚さ方向に貫通するように形成されており、
前記机天板の各コーナ部と前記第１及び第２ブロック体とは、前記各表裏段付き穴に上方から螺挿するねじ手段にて着脱可能に固定されており、
前記各表裏段付き穴は天板用キャップ体を嵌め込んで塞がれていることを特徴とする請求項１又は２に記載した机。
【発明の詳細な説明】
【０００１】
【発明の属する技術分野】
本発明は、オフィスや工場等で使用される机の構造に関するものである。
【０００２】
【従来の技術】
近年、オフィスや工場等で使用される机においては、机天板や脚体等の構成部品ごとに分解した状態で、梱包、保管及び運搬することが行われており、机の設置場所や販売店等で、組立てを簡単にできるようにすることが望まれている。
【０００３】
この種の机の一例として、例えば特開平３−２２４５０７号公報には、平面視矩形状の机天板における下面の各コーナ部に、脚柱の上端に取り付けた連結ブロックを、それぞれ下方からねじ止めし、隣り合う連結ブロック間に架設したビーム部材も、前記机天板の下面に下方からねじ止めする構成が開示されている。
【０００４】
【発明が解決しようとする課題】
ところで、前記従来技術の机を組み立てるには、脚柱の上端に取り付けた連結ブロックをビーム部材で各々連結して骨組を組み立て、床面上に裏返して載置した机天板に前記骨組を倒立状態で配置し、前記各連結ブロックや前記各ビーム部材を前記机天板の裏面（下面）にねじ止めしたのち、机全体をひっくり返して所定の場所に設置するか、または、組み立てた骨組を所定の場所で自立させ、この骨組上に机天板を載置したのち、前記各連結ブロックや前記各ビーム部材を前記机天板の下面に下方からねじ止めするというようにしていた。
【０００５】
しかし、前者の組立て手順では、出来上がった机を持ち上げて当該机の姿勢を変更しなければならないから、比較的大きくて重い机の場合は、１人で組立て作業を行うのが難しいという問題があった。他方、後者の組立て手順では、前記机天板の下方に潜り込んでねじ止め作業をしなければならないから、机の組立て及び分解に手間がかかるという問題があった。
【０００６】
そこで、本発明は、前記従来の欠点を解消して、簡単に組立てや分解ができるようにした机を提供することを技術的課題とするものである。
【０００７】
【課題を解決するための手段】
この技術的課題を解決するため、請求項１の発明は、平面視Ｌ字状又は平面視矩形状の机天板を複数の脚体にて支持し、前記机天板の奥側で隣り合う両脚体間に幕板を架設してなる机であって、前記机天板における奥側の各コーナ部は、第１ブロック体を介して脚体に着脱可能に連結されており、前記机天板における手前側の各コーナ部は、第２ブロック体を介して脚体に着脱可能に連結されており、前記各第１ブロック体は、３つのアーム部を有し且つ平面視で真中のアーム部を挟んで対称な矢印形状に形成されており、前記各第１ブロック体における真中のアーム部を挟んで両側のアーム部のうち少なくとも一方は、平面視で前記机天板の後側縁と前記幕板との間に位置するように、前記机天板の後側縁の外側にはみ出しているというものである。
【０００８】
また、請求項２の発明は、請求項１に記載した机において、前記各第１ブロック体における真中のアーム部には、隣り合う第１ブロック体同士を繋ぐビーム部材を取り付けるための取付け部が、平面視で前記真中のアーム部を挟んで対称状に設けられているというものである。
【０００９】
さらに、請求項３の発明は、請求項１又は２に記載した机において、前記机天板の各コーナ部に、表裏面側では大径で厚さ方向中途部では小径の表裏段付き穴が厚さ方向に貫通するように形成されており、前記机天板の各コーナ部と前記第１及び第２ブロック体とは、前記各表裏段付き穴に上方から螺挿するねじ手段にて着脱可能に固定されており、前記各表裏段付き穴は天板用キャップ体を嵌め込んで塞がれているというものである。
【００１０】
【発明の実施の形態】
以下、本発明を具体化した実施形態を図面に基づいて説明する。
【００１１】
図１〜図１６は本発明に係る机１の第１実施形態を示しており、最初に、机１全体の概要について説明する。図１〜図３に示すように、第１実施形態の机１は、平面視略Ｌ字状の机天板２と、この机天板２の右側部を支持する側面視略Ｌ字状のＬ型脚体３と、左側部を支持する側面視略矩形筒状のパネル型脚体４と、奥側中央のコーナ部を支持する略筒状の棒型脚体５と、隣り合う脚体間（Ｌ型脚体３と棒型脚体５との間、パネル型脚体４と棒型脚体５との間）に各々着脱可能に架設した幕板３０とを備えている。
【００１２】
机天板２とＬ型脚体３とは、机天板２の右前側縁２ａに沿って延びる上向き開口樋状の第１サイドビーム８の両端に取り付けられた２種類のブロック体６，７を介して着脱可能に連結されている。両ブロック体６，７のうち平面視略Ｌ字状の第１ブロック体６は、机天板２の下面のうち右奥側のコーナ部に配置されており、平面視略コ字状の第２ブロック体７は、右手前側（着座者側）のコーナ部に配置されている。
【００１３】
同様に、机天板２とパネル型脚体４とは、机天板２の左前側縁２ｂに沿って延びる上向き開口樋状の第２サイドビーム９の両端に取り付けられた２種類のブロック体６，７を介して着脱可能に連結されている。この場合、第１ブロック体６は、机天板２の下面のうち左奥側のコーナ部に配置されており、第２ブロック体７は、左手前側（着座者側）のコーナ部に配置されている。なお、各サイドビーム８，９は、長さが異なる点を除いて、基本的に同じ構成である。
【００１４】
また、机天板２と棒型脚体５とは、第１ブロック体６のみを介して着脱可能に連結されている。机天板２の奥側で隣り合う第１ブロック体６，６同士は、略角筒状の長手ビーム１０でそれぞれ連結されている。
【００１５】
したがって、第１実施形態では、各脚体３，４，５と、３つの第１ブロック体６，６，６と、２つの第２ブロック体７，７と、各サイドビーム８，９と、２本の長手ビーム１０，１０とにより、机天板２を安定支持する骨組が構成されている。なお、各サイドビーム８，９及び長手ビーム１０は、請求項に記載したビーム部材に相当する。
【００１６】
次に、机１における各部の構造について説明する。
【００１７】
机天板２の各コーナ部には、厚さ方向に貫通する穴１１が、表裏面側では大径で厚さ方向中途部では小径の段付き状に穿設されている。これら各表裏段付き穴１１は、これに対応する各ブロック体６，７のねじ穴４０，４４，４７，５４，５５（詳細は後述する）に螺合する取付けねじ１２を挿通させるためのものであり、机天板２を骨組の上面に載置した状態で、各表裏段付き穴１１を介して各ブロック体６，７のねじ穴４０，４４，４７，５４，５５に取付けねじ１２を螺合することにより、机天板２が各ブロック体６，７に着脱可能に固定されている（図４〜図６及び図１０〜図１３参照）。
【００１８】
第１実施形態では、机天板２の各コーナ部に、表裏面側では大径で厚さ方向中途部では小径の表裏段付き穴１１を設けることにより、机天板２を裏返した状態でも各ブロック体６，７に着脱可能に固定でき、机天板２をリバーシブルに使用できるようになっている。なお、各表裏段付き穴１１には、合成樹脂製の天板用キャップ体１３を嵌め込んで塞ぐように構成されている（図１、図６、図９及び図１１参照）。
【００１９】
３つの脚体３，４，５のうちＬ型脚体３は、机天板２の右前側縁２ａに沿って床面上を前後方向に延びる水平足１４と、この水平足１４の上面に立設する金属板製中空状の脚柱１５とにより構成されている（図１参照）。
【００２０】
図６及び図７に示すように、脚柱１５の中空状の上部には、２つのナット部１７，１８を有する補強プレート１６が溶接固定されている。補強プレート１６の後寄りのナット部１７は、第１サイドビーム８の後端部とともに第１ブロック体６を固定するためのものであり、前寄りのナット部１８は、第１サイドビーム８の長手方向中途部を固定するためのものである。これら各ナット部１７，１８は、補強プレート１６の裏面に溶接固定されている（図６参照）。
【００２１】
脚柱１３の後端面には、大径頭部１９ａ付きの係止突起１９が上下に適宜隔てて複数個（第１実施形態では３つ）突設されている（図３及び図８参照）。これら係止突起１９は係止手段の１要素である（詳細は後述する）。なお、水平足１２の下面のうち前後両端部には、高さ調節用のアジャスタ２０，２０が取り付けられている。
【００２２】
一方、パネル型脚体４の中空状の上部には、２つのナット部２２，２３を有する補強プレート２１が溶接固定されている（図１３参照）。補強プレート２１の後寄りのナット部２２は、第２サイドビーム９の後端部とともに第１ブロック体６を固定するためのものであり、前寄りのナット部２３は、第２サイドビーム９の前端部とともに第２ブロック体７を固定するためのものである。なお、図示していないが、これら各ナット部２２，２３は、補強プレート２１の裏面に溶接固定されている。
【００２３】
また、パネル型脚体４の後端面にも、Ｌ型脚体３と同様に、大径頭部１９ａ付きの係止突起１９が上下に適宜隔てて複数個（第１実施形態では３つ）突設されている。なお、中空状の下部に溶接固定した補強プレート（図示せず）の前後両端部には、高さ調節用のアジャスタ２０，２０が取り付けられている（図１参照）。
【００２４】
図１０及び図１１に示すように、机天板２の奥側中央のコーナ部に配置した棒型脚体５の上端には、ナット部２５と挿通穴２６とを有する略平板状のプレート２４が溶接固定されている。このナット部２５は第１ブロック体６を固定するためのものであり、前記プレート２４の裏面に溶接固定されている。挿通穴２６は、第１ブロック体６の真中のアーム部３３における下面側のねじ穴４６（詳細は後述する）に螺合する取付けねじ７０を挿通させるためのものである。
【００２５】
この棒型脚体５の四周面のうち机天板２の奥側の二側面には、大径頭部１９ａ付きの係止突起１９が上下に適宜隔てて複数個（第１実施形態では３つずつ）突設されている（図３参照）。なお、棒型脚体５の下端にも、高さ調節用のアジャスタ２０，２０が取り付けられている（図３参照）。
【００２６】
図２、図４、図１０、図１２及び図１３に示すように、机天板２の下面のうち奥側の各コーナ部に配置された第１ブロック体６は、３つのアーム部３２，３３，３４で平面視略矢印状に形成された金属製等のものであり、平面視で真中のアーム部３３を挟んで対称形状に形成されている。
【００２７】
机天板２の右奥側のコーナ部における第１ブロック体６は、左アーム部３４が机天板２の右後側縁２ｃの外側に略沿った状態ではみ出すとともに、右アーム部３２と真中のアーム部３３とが机天板２の下面に当接するように配置されている（図２及び図４参照）。
【００２８】
また、奥側中央のコーナ部における第１ブロック体６は、左右両アーム部３２，３４が、それぞれ対応する左右後側縁２ｃ，２ｄの外側に略沿った状態ではみ出すとともに、真中のアーム部３３のみが机天板２の下面に当接するように配置されている（図２及び図１０参照）。
【００２９】
さらに、左奥側のコーナ部における第１ブロック体６は、右アーム部３２が机天板２の左後側縁２ｄの外側に略沿った状態ではみ出すとともに、左アーム部３４と真中のアーム部３３とが机天板２の下面に当接するように配置されている（図２及び図１２参照）。
【００３０】
これら各第１ブロック体６において、３つのアーム部３２〜３４が交わる基端部３１には、棒型脚体５のナット部２５に螺合する取付けねじ３５を挿通させるための貫通穴３６と、後述する幕板押え体９１を固定するための２つのねじ穴３７，３７とが、上下に貫通するように穿設されている（図２、図４、図６及び図１０〜図１３参照）。
【００３１】
右アーム部３２における基端部３１寄りの部位と先端部寄りの部位との２箇所には、サイドビーム８（または９）の後端部を固定するためのねじ穴３８，３９が上下に貫通するように穿設されている。これら両ねじ穴３８，３９の間の部位（右アーム部３２の長手方向中途部）には、机天板２を固定するためのねじ穴４０と、Ｌ型脚体３の後寄りのナット部１７やパネル型脚体４の後寄りのナット部２２に対応する貫通穴４１とが、上下に貫通するように穿設されている。
【００３２】
一方、左アーム部３４にも、右アーム部３２と対称な位置に、ねじ穴４２，４３，４４及び貫通穴４５とが穿設されている。すなわち、左アーム部３４における２つのねじ穴４２，４３は、サイドビーム８（または９）の後端部を固定するためのものであり、左アーム部３４の長手方向中途部に設けたねじ穴４４は、机天板２を固定するためのものである。また、貫通穴４５は、Ｌ型脚体３の後寄りのナット部１７やパネル型脚体４の後寄りのナット部２２に対応するように設定されている。
【００３３】
真中のアーム部３３において基端部３１寄りの下面には、棒型脚体５の挿通穴２６に対応するねじ穴４６が穿設されている。この真中のアーム部３３における先端部には、机天板２を固定するための上向き開口状のねじ穴４７が穿設されている。また、この先端部において略直交状に隣接する二側面には、各々の側面から外向きに突出する突起４８が一体的に設けられている。
【００３４】
これら各突起４８に長手ビーム１０の一端部を被嵌した状態で、上方からねじ４９止めすることにより、机天板２の奥側で隣り合う第１ブロック体６，６間に、長手ビーム１０が着脱可能に固定されている（図４、図７及び図１２参照）。真中のアーム部３３における両突起４８，４８は請求項に記載したビーム部材用の取付け部に相当する。
【００３５】
図２、図５、図９、図１２及び図１３に示すように、机天板２の下面のうち手前側の各コーナ部における第２ブロック体７は、金属製等のものであり、机天板２を固定するためのねじ穴５４，５５を有する基部５１と、この基部５１から後向きに突出する左右両アーム部５２，５３とにより、平面視略コ字状で、かつ、平面視で左右両アーム部５２，５３の間の仮想線Ｌ（図５の１点鎖線参照）に対して対称形状に形成されている。
【００３６】
机天板２の下面のうち手前側の各コーナ部では、各第２ブロック体７は、机天板２の左右前側縁２ａ，２ｂの外側に略沿うように配置されている（図２、図５及び図１２参照）。
【００３７】
第２ブロック体７における左右両アーム部５２，５３には、サイドビーム８（または９）の前端部を固定するためのねじ穴５６，５７が上下に貫通するように穿設されている。これら両ねじ穴５６，５７の間の部位（右アーム部５２の長手方向中途部）には、パネル型脚体４の後寄りのナット部２２に対応する貫通穴５８が上下に貫通するように、それぞれ穿設されている。
【００３８】
なお、第２ブロック体７には、後述する第２棒型脚体５′のナット部５ａ′に対応する貫通穴５９，６０と、この第２棒型脚体５′を固定するためのねじ穴６１，６２（第一実施形態では４つずつ）とが各々適宜箇所に穿設されている。
【００３９】
第１実施形態において、机天板２の右側部では、第１ブロック体６の右アーム部３２と第１サイドビーム８の後端部とを、右アーム部３２における２つのねじ穴３８，３９に取付けねじ６６，６６を下方から螺挿して固定した状態で、Ｌ型脚体３の後寄りのナット部１７に、右アーム部３２における貫通穴４１を介して取付けねじ６７を上方から螺挿するとともに、Ｌ型脚体３の前寄りのナット部１８に、第１サイドビーム８の長手方向中途部を、上方からの取付けねじ６８で締結することにより、第１ブロック体６と第１サイドビーム８とＬ型脚体３とが着脱可能に固定されている（図４及び図６参照）。
【００４０】
第１サイドビーム８の前端部と第２ブロック体７の右アーム部５２とは、右アーム部５２における２つのねじ穴５６，５７に取付けねじ６９，６９を下方から螺挿することにより着脱可能に固定されている（図５及び図９参照）。
【００４１】
机天板２の奥側中央のコーナ部では、棒型脚体５の挿通穴２６を介して、第１ブロック体６における真中のアーム部３３のねじ穴４６に下方から取付けねじ７０を螺挿するとともに、第１ブロック体６の貫通穴３６を介して、棒型脚体５のナット部２５に上方から取付けねじ３５を螺挿することにより、第１ブロック体６と棒型脚体５とが着脱可能に固定されている（図１０及び図１１参照）。なお、図１１では、幕板３０と後述する幕板押え体９１とが図示省略されている。
【００４２】
図１２及び図１３に示すように、机天板の左側部では、第１ブロック体６の左アーム部３４と第２サイドビーム９の後端部とを、左アーム部３４における２つのねじ穴４２，４３に取付けねじ７１，７１を下方から螺挿するとともに、第２サイドビーム９の前端部と第２ブロック体７の左アーム部５３とを、左アーム部５３における２つのねじ穴５６，５７に取付けねじ７２，７２を下方から螺挿することにより、第２サイドビーム９の両端に第１及び第２ブロック体６，７が着脱可能に固定されている。
【００４３】
そして、この状態で、パネル型脚体４の後寄りのナット部２２に、第１ブロック体６の左アーム部３４における貫通穴４５を介して取付けねじ７３を上方から螺挿するとともに、パネル型脚体４の前寄りのナット部２３に、第２ブロック体７の左アーム部５３における貫通穴５８を介して取付けねじ７４を上方から螺挿することにより、第１及び第２ブロック体６，７と第２サイドビーム９とパネル型脚体４とが着脱可能に固定されている。
【００４４】
第１実施形態では、机天板２における左右側部の下方箇所に、それぞれ吊り下げ式の袖引出し２８を配置することができる。ここでは、図１２を参照して、机天板２における左側部の下方箇所に袖引出し２８を設けた場合の態様について説明する。
【００４５】
当該袖引出し２８は、第２ブロック体７における貫通穴５９に上方から挿通したねじと、第１ブロック体６における真中のアーム部３３のねじ穴４７に上方からねじ込んだねじと、長手ビーム１０の長手方向中途部に設けた貫通穴７６に上方から挿通したねじとを、袖引出し２８の上面の対応箇所に設けたねじ穴に螺合することによって、机天板２の下方に吊り下げ固定されている。
【００４６】
この場合、長手ビーム１０の長手方向中途部には、側面視略コ字状の固定金具７７が下方から嵌め込まれており、当該固定金具７７の両フランジ部７７ａ，７７ａは机天板２の下面にねじ７８，７８止めされている。これにより、第１ブロック体６の真中のアーム部３３や長手ビーム１０が袖引出し２８の重みで撓まないようになっている。
【００４７】
机１の背面側に配置された２枚の幕板３０，３０は、その左右両端部に、左右外向きに延出した板部分を内側に折り返して重ね合わせた突合せ部８１と、前記板部分の先端部を幕板３０の内面（表面）に対して略直交状に折り曲げ形成した側板部８２と、さらに前記先端部を幕板３０の内面と略平行状に折り曲げ形成した縁板部８３と、前記側板部８２、縁板部８３及び幕板３０の内面に嵌め込み固定された上下長手で断面略コ字状の支持部８４とを備えている（図１０及び図１４参照）。
【００４８】
左右両支持部８４，８４には、各脚体３，４，５に設けた係止突起１９の大径頭部１９ａが嵌まり、かつ、幕板３０を下方向に押し込むと係止突起１９の軸部１９ｂのみが嵌まって大径頭部１９ａが抜け不能となるダルマ状係止穴８５が適宜高さ間隔で穿設されている（第１実施形態では３つずつ）。
【００４９】
隣り合う脚体３，５（または４，５）に設けた各係止突起１９を、対応するダルマ状係止穴８５に落とし込み係止することにより、隣り合う脚体３，５（または４，５）間に幕板３０が着脱可能に架設され、机１の背面側が覆われている（図１、図３及び図１０参照）。
【００５０】
図１０に示すように、机１の奥側中央のコーナ部では、隣り合う幕板３０，３０の突合せ部８１，８１が互いに突き合わさって出隅部が覆い隠されている。この場合、突合せ部８１は、左右外向きに延出した板部分を内側に折り返して重ね合わせた形状であり、かつ、側板部８２及び縁板部８３は、相対向する側板部８２及び縁板部８３との間に適宜空所を形成するようになっているので、隣り合う幕板３０，３０において相対向する端部同士が入隅側では互いに干渉しないようになっている。
【００５１】
第１実施形態では、各脚体３，４，５における係止突起１９と幕板３０におけるダルマ状係止穴８５とが係止手段に相当する。
【００５２】
机天板２の奥側の各コーナ部における第１ブロック体６は、左右アーム部３２，３４のうち一方または両方が、机天板２の左右後側縁２ｃ，２ｄの外側にはみ出しており、机天板２の左右後側縁２ｃ，２ｄと幕板３０，３０の内面との間には、配線コード類を机天板２上に引き出すための隙間が形成されている。
【００５３】
幕板３０の上端部には、机天板２に向かって突出するピン８６が左右に適宜間隔で設けられており（図８及び図１０参照）、合成樹脂製で長尺の押出材からなるカバー体８７をこれら各ピン８６に引っ掛けて係合することにより、幕板３０の内面（表面）と机天板２の左または右後側縁２ｃ，２ｄとの間の隙間を覆うように構成されている。
【００５４】
幕板３０の内面のうち高さ方向中途部には、左右方向に延びる上向き開口樋状の保持片８８が溶接固定されており、この保持片８８には、合成樹脂製等の押出材からなる配線トレイ８９が引っ掛かり係合されている。
【００５５】
なお、本発明に係る係止手段は、前述の形態に限らず、各脚体３，４，５にダルマ状係止穴８５を穿設して、幕板３０の左右両支持部８４，８４に係止突起１９を突設してもよいし、各脚体３，４，５に係止爪を突設して、幕板３０の左右両支持部８４，８４に係止溝穴を穿設するようにしてもよい。
【００５６】
図４、図６〜図８、図１０及び図１２に示すように、机１の奥側の各コーナ部に配置された第１ブロック体６の基端部３１には、幕板３０の上向き動を阻止するための２つの幕板押え体９１，９１がねじ９２，９２止めされている。
【００５７】
これら両幕板押え体９１，９１は左右対称形状となっており（図１５に右幕板押え体９１のみ示す）、幕板３０における支持部８４の上端に当接する略角柱状の当接部９３と、この当接部９３上に位置する平面視略三角形状の固定部９４と、この固定部９４上に位置するフレーム支持部９５とを一体成形してなるものである。ここで、フレーム支持部９５は、幕板押え体９１における必須の構成要素ではない。
【００５８】
固定部９４には、第１ブロック体６の基端部３１に穿設したねじ穴３７に螺合するねじ９２を挿通させるための貫通穴９６が穿設されており、フレーム支持部９５には、例えば略棒状の支持フレーム等を挿入固定するための挿通穴９７が穿設されている。
【００５９】
図１６に示すように、机１の右奥側では、Ｌ型脚体３と棒型脚体５との間に幕板３０を架設した状態で、幕板３０における右支持部８４の上端縁８４ａに、左幕板押え体９１を当接させ、第１ブロック体６の基端部３１に、固定部９４の貫通穴９６を介して取付けねじ９２を上方から螺合することにより、幕板３０の右側部が上向きに動くことを防いでいる。
【００６０】
また、机１の奥側中央や左奥側でも、同様にして、各幕板３０における左右各支持部８４の上端縁８４ａに当接させた状態の幕板押え体９１を、第１ブロック体６の基端部３１にねじ９２止めすることにより、幕板３０の左右側部が上向きに動くことを防いでいる。これにより、幕板３０における左右両支持部８４のダルマ状係止穴８５から各脚体３，４，５における係止突起１９が外れて、幕板３０が不用意に脱落しないようになっている。
【００６１】
机１の右奥側では、幕板３０の上向き動の規制に寄与しない左幕板押え体９１も第１ブロック体６の基端部３１にねじ９２止めされている。これは前記基端部３１を覆い隠して美観を向上させるためである（図４参照）。机１の左奥側についても同様になっている（図１２参照）。
【００６２】
なお、机１の奥側の各コーナ部では、左右両幕板押え体９１，９１の上端に、合成樹脂製のコーナキャップ体２９を嵌め込んで塞ぐように構成されている（図１参照）。また、図示していないが、フレーム支持部９５の挿通穴９７には、例えば支持フレームの端部を挿入固定し、当該支持フレーム間に棚や目隠し用のパネル等を配置することが可能である。
【００６３】
次に、机１を組み立てる手順の一例について説明する。
【００６４】
まず、机１の右側部に配置される第１ブロック体６の右アーム部３２と第１サイドビーム８の後端部とを、下方からねじ６６，６６止めするとともに、机１の右側部に配置される第２ブロック体７の右アーム部５２と第１サイドビーム８の前端部とをねじ６９，６９止めし、この状態で、前記第１ブロック体６及び前記第１サイドビーム８をＬ型脚体３の上端にねじ６７，６８止めしておく。
【００６５】
また、机１の奥側中央に配置される第１ブロック体６を、棒型脚体５の上端にねじ３５，７０止めしておく。
【００６６】
さらに、机１の左側部に配置される第１ブロック体６の左アーム部３４と第２サイドビーム９の後端部とを、下方からねじ７１，７１止めするとともに、第２サイドビーム９の前端部と机１の左側部に配置される第２ブロック体７の左アーム部５３とを、下方からねじ７２，７２止めし、この状態で、前記第１及び第２ブロック体６，７を、パネル型脚体４の上端にねじ７３，７４止めしておく。
【００６７】
それから、長手ビーム１０の両端部を、隣り合う位置関係にある第１ブロック体６，６におけるアーム部３３，３３の突起４８，４８に被嵌して、上方からねじ４９止めすることにより、各脚体３，４，５と、３つの第１ブロック体６，６，６と、２つの第２ブロック体７，７と、各サイドビーム８，９と、２本の長手ビーム１０，１０とからなる骨組を組み立てる。
【００６８】
次いで、この骨組を自立させ、机天板２を骨組の上面に、各表裏段付き穴１１と各ブロック体６，７のねじ穴４０，４４，４７，５４，５５とが合致するように載置し、５本の取付けねじ１２を、前記各表裏段付き穴１１を介して前記各ねじ穴４０，４４，４７，５４，５５に上方から螺合する。
【００６９】
次いで、隣り合う脚体３，５（または４，５）に設けた各係止突起１９を、対応するダルマ状係止穴８５に落とし込み係止して、机１の背面側に２枚の幕板３０，３０を架設するのである。なお、机天板２の取付けと幕板３０の取付けとは逆の順序であってもよい。
【００７０】
以上のように構成すると、自立した骨組に対する机天板２の取付けが、すべて上方からのねじ止め作業で実施できるから、前記従来技術の場合のように、出来上がった机を持ち上げて当該机の姿勢を変更したり、机天板２の下方に潜り込み、無理な姿勢でねじ止め作業をしたりする必要がなく、机１の組立て及び分解が１人でも簡単にできる。
【００７１】
また、机天板２と幕板３０とは、前記骨組に対してそれぞれ単体で取り付けたり取り外したりすることができるから、例えば、机天板２を裏返して使用したり、幕板３０のみを取り替えたりすることが簡単にでき、ユーザーの使い勝手が向上するのである。なお、各ブロック体６，７と、各サイドビーム８，９または各脚体３，４，５との連結についても、すべて上方からのねじ止め作業で行えるように構成してもよい。
【００７２】
図１７及び図１８に示す第２実施形態の机１′では、平面視略矩形状の机天板２′を採用しており、この机天板を４本の棒型脚体５，５，５′，５′で支持するように構成されている。机天板２′の奥側で隣り合う棒型脚体５，５の間には幕板が着脱可能に架設されている。
【００７３】
この場合、机天板２′の左手前側の第２棒型脚体５′は、そのナット部５ａ′に、机２′の左側部に配置された第２ブロック体７における貫通穴６０を介して取付けねじ９８を上方から螺挿するとともに、前記第２ブロック体７における４つのねじ穴６２に、第２棒型脚体５′の上端に設けた挿通穴５ｂ′（第２実施形態では４つ）を介して取付けねじ９９を下方から螺挿することにより、前記第２ブロック体７の下面に着脱可能に固定されている（図１８参照）。机天板２′の右手前側の第２棒型脚体５′についても、同様にして、机２′の右側部に配置された第２ブロック体７の下面に着脱可能に固定されている。その他の構成は第１実施形態と同じであるので、詳細な説明は省略する。
【００７４】
このように、本発明では、第１ブロック体６や第２ブロック体７は、それぞれ形状や大きさ等を共通にして規格化（モジュール化）されている。これら各ブロック体６，７を各ビーム８，９，１０を介して連結する組合せに応じて、種々の机天板や脚体を選択することにより、机のバリエーションが増加して様々な設置場所や用途に対応させることができ、ユーザーにとってさらに使い勝手のよいものとなるのである。
【００７５】
本発明は、前述の実施形態に限らず、様々な態様に具体化できる。例えば、各ブロック体６，７は金属製に限らず、プラスチック製等であってもよい。本発明に係る机は、オフィス等で使用される事務机や、工場等で使用される作業机（作業台）や、各種テーブル等をも含む概念である。
【００７６】
【発明の効果】
本願発明の構成によると、机天板とその奥側の各コーナ部を支持するための脚体との間に位置する各第１ブロック体は、３つのアーム部により平面視で真中のアーム部を挟んで対称な矢印形状になっていて、規格化（モジュール化）されている。そして、前記各第１ブロック体における真中のアーム部を挟んで両側のアーム部のうち少なくとも一方が、平面視で前記机天板の後側縁と前記幕板との間に位置するように、前記机天板の後側縁の外側にはみ出している。
このため、机天板の平面視形状がＬ字状又は矩形状のいずれの場合であっても、前記各第１ブロック体を前記机天板における奥側の各コーナ部の下面に配置して、前記幕板を前記机天板の後側縁から離して取り付けできる。
従って、机天板のバリエーションに対応できるものでありながら、机天板の後側縁と幕板との間に、配線コード類を机天板上に引き出すための隙間を確実に形成できるという効果を奏する。
【００７７】
【００７８】
また、請求項３のように構成すると、前記机天板の各コーナ部に形成された表裏段付き穴に上方から螺挿するねじ手段にて、前記机天板の各コーナ部と前記第１及び第２ブロック体とが着脱可能に固定されるので、前記机天板を裏返した状態でも前記各ブロック体に着脱可能に固定でき、前記机天板をリバーシブルに使用できるという効果を奏する。
【図面の簡単な説明】
【図１】  第１実施形態における机の概要を示す斜視図である。
【図２】  机天板とこれを支持する骨組との関係を示す平面図である。
【図３】  図１において右手後方からみた机の背面図である。
【図４】  机における右奥側のコーナ部の平面図である。
【図５】  机における右手前側のコーナ部の平面図である。
【図６】  図４のＶＩ−ＶＩ視断面図である。
【図７】  図４のＶＩＩ−ＶＩＩ視断面図である。
【図８】  図４のＶＩＩＩ−ＶＩＩＩ視断面図である。
【図９】  図５のＩＸ−ＩＸ視断面図である。
【図１０】  机における奥側中央のコーナ部の平面図である。
【図１１】  図１０のＸＩ−ＸＩ視断面図である。
【図１２】  机の左側部の平面図である。
【図１３】  机天板と各ブロック体と各ビームとパネル型脚体との取付け態様を示す分離斜視図である。
【図１４】  （ａ）は幕板の斜視図、（ｂ）はダルマ状係止穴の拡大図である。
【図１５】  幕板押え体の斜視図である。
【図１６】  幕板押え体の取付け態様を示す斜視図である。
【図１７】  第２実施形態における机の概要を示す斜視図である。
【図１８】  机天板と各ブロック体と各ビームと各棒型脚体との取付け態様を示す分離斜視図である。
【符号の説明】
１，１′  机
２，２′  机天板
３  Ｌ型脚体
４  パネル型脚体
５  棒型脚体
５′  第２棒型脚体
６  第１ブロック体
７  第２ブロック体
８  第１サイドビーム
９  第２サイドビーム
１０  長手ビーム
１２，３５，４９，６６〜７４，９２，９８，９９  取付けねじ
１９  係止突起
３０  幕板
８５  ダルマ状係止穴
９１  幕板押え体
【図１】
0003837042.tif 000002
【図２】
0003837042.tif 000003
【図３】
0003837042.tif 000004
【図４】
0003837042.tif 000005
【図５】
0003837042.tif 000006
【図６】
0003837042.tif 000007
【図７】
0003837042.tif 000008
【図８】
0003837042.tif 000009
【図９】
0003837042.tif 000010
【図１０】
0003837042.tif 000011
【図１１】
0003837042.tif 000012
【図１２】
0003837042.tif 000013
【図１３】
0003837042.tif 000014
【図１４】
0003837042.tif 000015
【図１５】
0003837042.tif 000016
【図１６】
0003837042.tif 000017
【図１７】
0003837042.tif 000018
【図１８】
0003837042.tif 000019